(57)【要約】【課題】物品収納機能と物品開示機能とを兼ね備え、しかも全体が一つになっていて、別部材を製作する手間とコストが不要の、取り扱いやすい物品収納ケースを提供する。【解決手段】蓋部１１を閉じた状態で物品を台部１０上に収納し、蓋部１１を開きその姿勢を固定した状態で上記物品を開示できるようにした物品収納ケースであって、上記台部１０が、帯状シート材１３の一端側に、型成形によって物品保持用の凹部２１、２３、２４を有する凹凸形状が設けられた第一の膨出パーツ１４によって構成され、上記蓋部１１が、上記帯状シート材１３の他端側に、型成形によって凹凸形状が付与された第二の膨出パーツ４０によって構成され、上記ヒンジ部１２が、上記帯状シート材１３の、上記台部１０と蓋部１１との間に挟まれた所定幅領域によって構成されている。【選択図】図１
2014200426.tif 000002
【特許請求の範囲】
【請求項１】
上面に物品保持用の凹凸形状が設けられた台部と、その上面を蓋する蓋部と、上記台部に対し上記蓋部を開閉自在に連結するヒンジ部とを備え、上記蓋部を閉じた状態で物品を台部上に収納し、蓋部を開きその姿勢を固定した状態で上記物品を開示できるようにした物品収納ケースであって、
上記台部が、帯状シート材の一端側に、型成形によって凹凸形状が付与された第一の膨出パーツを、その膨出部を上向きにして取り付けることによって構成され、上記蓋部が、上記帯状シート材の他端側に、型成形によって凹凸形状が付与された第二の膨出パーツを、その膨出部を上向きに取り付けることによって構成され、上記ヒンジ部が、上記帯状シート材の、上記台部と蓋部との間に挟まれた所定幅領域によって構成され、上記ヒンジ部と台部との境界線上および上記ヒンジ部と蓋部との境界線上のそれぞれに、谷折りとなる折り目が形成されており、
上記第一の膨出パーツの膨出部には、物品保持用の凹凸形状と、蓋部を開いた状態でこの第一の膨出パーツに対し第二の膨出パーツを直立姿勢もしくは傾斜姿勢に係止するための係合部Ｄと、蓋部を閉じた状態でこの第一の膨出パーツと第二の膨出パーツとを係止するための係合部Ｅとが設けられており、
上記第二の膨出パーツの膨出部には、上記第一の膨出パーツの上面を蓋するための凹凸形状と、蓋部を開いた状態で上記第一の膨出パーツの係合部Ｄと係合しうる被係合部Ｄ′と、蓋部を閉じた状態で上記第一の膨出パーツの係合部Ｅと係合しうる被係合部Ｅ′とが設けられていることを特徴とする物品収納ケース。
【請求項２】
蓋部を開いて第一の膨出パーツの係合部Ｄと第二の膨出パーツの被係合部Ｄ′とを係合することにより、第一の膨出パーツに対し第二の膨出パーツが９０°を超え１００°以下の角度をなす姿勢で係止されるようになっている請求項１記載の物品収納ケース。
【請求項３】
上記第一の膨出パーツにおける膨出部の、第二の膨出パーツと対峙する側の立ち上がり部に、第二の膨出パーツとの係合部Ｄとして凹部が設けられ、上記第二の膨出パーツにおける膨出部の、第一の膨出パーツと対峙する側の立ち上がり部に、第一の膨出パーツとの被係合部Ｄ′として凸部が設けられているとともに、上記ヒンジ部内側に、両側の折り目と平行に延びる補助折り目が設けられており、
蓋部を開いた後、上記ヒンジ部の補助折り目を回転軸として上記ヒンジ部と蓋部との境界線上の折り目を谷折りから山折りに反転させ、上記第二の膨出パーツの凸部を第一の膨出パーツの凹部に差し込むことにより、第二の膨出パーツが第一の膨出パーツに対して係止されるようになっている請求項１または２記載の物品収納ケース。
【発明の詳細な説明】
【技術分野】
【０００１】
本発明は、物品を収納して携帯することができるだけでなく、これを開いた姿勢を固定
して、その収納された物品を開示して陳列等に供することのできる物品収納ケースに関す
るものである。
【背景技術】
【０００２】
従来、ファンデーションやリップカラー等といった化粧料の新製品を発売する際には、
店頭において、その新製品を顧客の目を引くように陳列する他、そのサンプルを街頭や店
頭で配布したりダイレクトメールで顧客に送付したりする等、さまざまな販促活動が展開
されるようになっている。そのような販促活動の一環として、化粧品メーカー専属のビュ
ーティーアドバイザーが、新製品をテスターととも顧客宅に持参し、顧客宅において新製
品を紹介したりテスターを用いて実際に化粧を試すことが行われている。
【０００３】
また、化粧品に限らず、例えば医薬品や化学薬品等についても、ＭＲ（メディカル・リ
プレゼンタティブ）やプロパーとよばれる営業担当者が、新製品やサンプルを病院や企業
、研究所等に持参して販促活動を行うことも、よく知られている。
【０００４】
このような販促活動に用いられる、新製品やテスター、サンプル等（以下「物品」と総
称する）を収納するケースとしては、携帯に便利でコンパクトであるだけでなく、顧客の
目の前でこれらを見栄えよく見せることができ、またテスター品等を出し入れしやすいも
のが求められている。
【０００５】
上記物品収納ケースとして、例えば図５に示すようなものが提案され賞用されている（
特許文献１を参照）。
【先行技術文献】
【特許文献】
【０００６】
【特許文献１】特許第３５６２７５６号公報
【発明の概要】
【発明が解決しようとする課題】
【０００７】
上記物品収納ケースは、真空成形等によって型成形された透明プラスチック製の台部１
と、同じく型成形された透明プラスチック製の蓋部２とで構成されており、上記台部１に
は、化粧料等の物品を収納保持するために、その物品の形状に合わせた凹部３が適宜の配
置で設けられている。また、上記蓋部２は、上記台部１に被せて、蓋部２の内面２ａを台
部１の上面１ａに重ねることによって、台部１の凹部３内に保持された物品をがたつくこ
となく収納保持した状態で持ち歩くことができるようになっている。なお、４は、台部１
に収納された物品の突出部に対応する凸部である。
【０００８】
そして、上記物品収納ケースには、台部１、蓋部２とは別に、図６に示すように、この
ケースに収納する物品の説明やキャッチフレーズ等を表示した広告パネル５と、台部１を
手前側に傾斜させて物品収納面を見えやすくする支受ガイド６とが用意されており、上記
台部１の後端部に設けられた隙間部７を利用して、上記支受ガイド６が差し込み保持され
るようになっている。なお、上記支受ガイド６の中央部分は上方に延設されており、その
延設部６ａが台部１の隙間部７に設けられた切欠き部８から上方に突出して、広告パネル
５と係合するようになっている。
【０００９】
したがって、図示のように、上記広告パネル５と支受ガイド６を台部１に取り付けるこ
とにより、物品収納ケースを物品陳列台として用いることができ、利用の幅が拡がる。ま
た、客先を訪問して商品説明を行う際、ケースを図６に示す形にして説明を行うと、顧客
が、その物品の特徴を理解しやすく、販促効果が高まるという利点を有する。
【００１０】
しかしながら、上記の構成では、広告パネル５や支受ガイド６を紙材等で別に製作する
必要があるため、コスト高になるという問題がある。また、上記物品収納ケースを店頭で
物品陳列台として用いる場合は問題にならないが、携帯して客先に持ち歩く場合、台部１
と蓋部２の間に、上記広告パネル５と支受ガイド６とを収納して携帯することになるため
、客先で、蓋部２を外す際に、これらが中からすべり落ちやすいという問題を有する。ま
た、広告パネル５と支受ガイド６を、いちいち付けたり外したりしなければならないため
、顧客に煩わしい印象を与えるという問題もある。
【００１１】
本発明は、このような事情に鑑みてなされたもので、物品収納機能と物品開示機能とを
兼ね備え、しかも全体が一つになっていて取り扱いやすく、別部材を製作する手間とコス
トも不要となる物品収納ケースの提供を、その目的とする。
【課題を解決するための手段】
【００１２】
上記の目的を達成するため、本発明は、上面に物品保持用の凹凸形状が設けられた台部
と、その上面を蓋する蓋部と、上記台部に対し上記蓋部を開閉自在に連結するヒンジ部と
を備え、上記蓋部を閉じた状態で物品を台部上に収納し、蓋部を開きその姿勢を固定した
状態で上記物品を開示できるようにした物品収納ケースであって、上記台部が、帯状シー
ト材の一端側に、型成形によって凹凸形状が付与された第一の膨出パーツを、その膨出部
を上向きにして取り付けることによって構成され、上記蓋部が、上記帯状シート材の他端
側に、型成形によって凹凸形状が付与された第二の膨出パーツを、その膨出部を上向きに
取り付けることによって構成され、上記ヒンジ部が、上記帯状シート材の、上記台部と蓋
部との間に挟まれた所定幅領域によって構成され、上記ヒンジ部と台部との境界線上およ
び上記ヒンジ部と蓋部との境界線上のそれぞれに、谷折りとなる折り目が形成されており
、上記第一の膨出パーツの膨出部には、物品保持用の凹凸形状と、蓋部を開いた状態でこ
の第一の膨出パーツに対し第二の膨出パーツを直立姿勢もしくは傾斜姿勢に係止するため
の係合部Ｄと、蓋部を閉じた状態でこの第一の膨出パーツと第二の膨出パーツとを係止す
るための係合部Ｅとが設けられており、上記第二の膨出パーツの膨出部には、上記第一の
膨出パーツの上面を蓋するための凹凸形状と、蓋部を開いた状態で上記第一の膨出パーツ
の係合部Ｄと係合しうる被係合部Ｄ′と、蓋部を閉じた状態で上記第一の膨出パーツの係
合部Ｅと係合しうる被係合部Ｅ′とが設けられている物品収納ケースを第１の要旨とする
。
【００１３】
また、本発明は、そのなかでも、特に、蓋部を開いて第一の膨出パーツの係合部Ｄと第
二の膨出パーツの被係合部Ｄ′とを係合することにより、第一の膨出パーツに対し第二の
膨出パーツが９０°を超え１００°以下の角度をなす姿勢で係止されるようになっている
物品収納ケースを第２の要旨とする。
【００１４】
さらに、本発明は、それらのなかでも、特に、上記第一の膨出パーツにおける膨出部の
、第二の膨出パーツと対峙する側の立ち上がり部に、第二の膨出パーツとの係合部Ｄとし
て凹部が設けられ、上記第二の膨出パーツにおける膨出部の、第一の膨出パーツと対峙す
る側の立ち上がり部に、第一の膨出パーツとの被係合部Ｄ′として凸部が設けられている
とともに、上記ヒンジ部内側に、両側の折り目と平行に延びる補助折り目が設けられてお
り、蓋部を開いた後、上記ヒンジ部の補助折り目を回転軸として上記ヒンジ部と蓋部との
境界線上の折り目を谷折りから山折りに反転させ、上記第二の膨出パーツの凸部を第一の
膨出パーツの凹部に差し込むことにより、第二の膨出パーツが第一の膨出パーツに対して
係止されるようになっている物品収納ケースを第３の要旨とする。
【発明の効果】
【００１５】
すなわち、本発明の物品収納ケースは、物品を保持する台部と蓋部とがヒンジ部を介し
て一続きに形成されているため、蓋部を開閉するだけで、簡単に、携帯に適した形態と陳
列に適した形態とを切り換えることができ、取り扱いが簡単である。しかも、この物品収
納ケースを、陳列に適した形態にする際、台部として用いる第一の膨出パーツに対し、蓋
部として用いる第二の膨出パーツを直立姿勢もしくは傾斜姿勢に係止するための係合部Ｄ
と被係合部Ｄ′が設けられているため、わざわざ陳列用の別部材を差し込んだりしなくて
も、蓋部を開いて陳列に適し形態にした状態を安定的に保持することができる。したがっ
て、訪問先で蓋部を開閉するだけで、簡単かつ迅速に商品説明やテスターの試用を行うこ
とができ、顧客に煩わしい印象を与えることがない。また、陳列用の別部材を製作する手
間とコストが不要となり、経済的である。
【００１６】
そして、本発明のなかでも、特に、蓋部を開いて第一の膨出パーツの係合部Ｄと第二の
膨出パーツの被係合部Ｄ′とを係合することにより、第一の膨出パーツに対し第二の膨出
パーツが９０°を超え１００°以下の角度をなす姿勢で係止されるようにしたものは、蓋
部を開いた状態で、物品収納ケース全体を安定して保持することができ、好適である。
【００１７】
また、本発明のなかでも、特に、上記第一の膨出パーツにおける膨出部の、第二の膨出
パーツと対峙する側の立ち上がり部に、第二の膨出パーツとの係合部Ｄとして凹部を設け
、上記第二の膨出パーツにおける膨出部の、第一の膨出パーツと対峙する側の立ち上がり
部に、第一の膨出パーツとの被係合部Ｄ′として凸部を設け、さらに上記ヒンジ部内側に
、両側の折り目と平行に延びる補助折り目を設けたものは、蓋部を開いた後、上記ヒンジ
部の補助折り目を回転軸として、上記ヒンジ部と蓋部との境界線上の折り目を谷折りから
山折りに反転させて、上記第二の膨出パーツの凸部を第一の膨出パーツの凹部に差し込む
ことにより、蓋部を台部に簡単に係止することができ、好適である。
【図面の簡単な説明】
【００１８】
【図１】本発明の一実施の形態である物品収納ケースを示す外観斜視図である。
【図２】（ａ）は上記物品収納ケースを平たく開いた状態を示す平面図、（ｂ）はその右側面図である。
【図３】（ａ）は上記物品収納ケースを閉じた状態を示す右側面図、（ｂ）はその蓋部を途中まで開いた状態を示す右側面図である。
【図４】（ａ）、（ｂ）はともに、上記物品収納ケースの蓋部を台部側に係止させる動作の説明図である。
【図５】従来の物品収納ケースの一例を示す斜視図である。
【図６】上記物品収納ケースの使用形態の説明図である。
【発明を実施するための形態】
【００１９】
つぎに、本発明の実施の形態を、図面にもとづいて詳しく説明する。
【００２０】
図１は、本発明の一実施の形態である物品収納ケースを示す外観斜視図である。この物
品収納ケースは、台部１０と、その上面を蓋する蓋部１１と、この蓋部１１を台部１０に
対し開閉自在に連結するヒンジ部１２とを備え、全体が、厚紙（厚み：１．０ｍｍ）から
なる一枚の帯状シート材１３によって一体的に連結されている。
【００２１】
より詳しく説明すると、上記台部１０は、この物品収納ケースを平たく開いた状態を示
す図２（ａ）に示すように、平面視長方形状の帯状シート材１３の一端側に、型成形によ
って凹凸形状が付与された透明樹脂シート製の第一の膨出パーツ１４を、その膨出部１４
ａを上向きにして取り付けることによって構成されている。
【００２２】
なお、上記第一の膨出パーツ１４の帯状シート材１３への取り付けは、第一の膨出パー
ツ１４の型成形時にその周縁に形成されるフランジ部１４ｂを帯状シート材１３に接着剤
もしくは両面テープ等を用いて接合することにより行われる。また、膨出パーツ１４およ
び帯状シート材１３の材質によっては、両者を熱圧着してもよい。
【００２３】
そして、上記第一の膨出パーツ１４の膨出部１４ａには、その奥側の向かって左側に、
小さな円形の開口を有する小凹部２０が二つ並んで設けられている。また、その右側に、
アイライナー等の棒状の化粧料（もしくはそのテスター）を収納保持するための、左右に
細長い開口を有する凹部２１が設けられている。なお、この凹部２１の底面には、凹部２
１内を前後に仕切る突条２１ａが設けられており、また底面左側には、凹部２１内に収納
された化粧料を取り出しやすくするための深凹部２２が設けられている。
【００２４】
また、上記膨出部１４ａの手前側には、比較的大きくて浅い、四角形状の開口を有する
二つの凹部２３、２４が並んで形成されており、これらの凹部２３、２４には、色の異な
る複数のアイカラー等が並べて収容されたテスターパレットが嵌入されるようになってい
る。
【００２５】
上記凹部２３、２４の開口縁部は前後に、ごく浅い段落とし部２５〜２８が設けられて
おり、この段落とし部２５〜２８を利用して、アイカラー等の化粧料がこぼれて周囲を汚
すことを防止するためのカバー２９が取り付けられている（図１を参照。凹部２４に取り
付けられるカバーも同様の構成になっており、その図示と説明を省略）。すなわち、上記
凹部２３の奥側の段落とし部２５には、左右方向に延びる帯状の切欠き穴３０が設けられ
ており、この切欠き穴３０に、上記カバー２９の奥側に設けられた左右のガイド片２９ｂ
を嵌め込むことにより、上記カバー２９を、凹部２３の開口に取り付けるようになってい
る。このとき、カバー２９の、手前に突出する延長部２９ａが、上記凹部２３の手前側の
段落とし部２６の上に乗り、カバー２９が開口内に落ち込むことを防止するようになって
いる。
【００２６】
そして、この膨出部１４ａは、その頂面が手前に向かって下り傾斜に賦形されており、
台部１０を水平面に載置した状態で、上記膨出部１４ａの頂面が、手前から見やすいよう
になっている。したがって、上記膨出部１４ａの凹部２１、２３、２４に保持された各種
化粧料を一目で見ることができ、またその出し入れがしやすいようになっている。
【００２７】
なお、上記膨出部１４ａの左奥側に設けられた二つの小凹部２０の底面は、台部１０の
底面を構成する帯状シート材１３に当接するようになっており、膨出部１４ａの頂面が凹
んで形が崩れるのを防止するガイドの作用を果たしている。また、同様の理由から、膨出
部１４ａの手前側の凹部２３、２４の底面にも、その底面が帯状シート材１３に当接する
小凹部３１がそれぞれ設けられている。そして、上記左奥の小凹部２０は、物品の収納や
陳列に利用することができる。
【００２８】
また、上記膨出部１４ａの周縁部は、全周にわたって一段低く段落としされて、環状の
段差部３２が形成されている。この段差部３２は、台部１０に対して蓋部１１を閉じる際
に、第一の膨出パーツ１４を、後述する第二の膨出パーツ４０と係合させるための係合部
Ｅとなるもので、段差部３２の左右両側の前後２個所に、上記第二の膨出パーツ４０側に
設けられた凹部（図１参照）４２と係合するための突起３３が、それぞれ形成されている
。
【００２９】
さらに、上記膨出部１４ａの奥側の立ち上がり面３４には、図２に示すように、左右２
個所に、やや幅の広い凹部３５が設けられており、その左右両側の開口縁部は、補強のた
めにやや前後に盛り上がった形状になっている。これら凹部３５は、蓋部１１を開く際に
、第一の膨出パーツ１４に対し、蓋部１１側の第二の膨出パーツ４０を直立姿勢もしくは
傾斜姿勢に係止するための係合部Ｄとなるもので、この凹部３５内に、上記第二の膨出パ
ーツ４０側に設けられた凸部４４が差し込み保持されるようになっている。
【００３０】
一方、前記蓋部１１は、帯状シート材１３の、上記台部１０を取り付けた側と反対側の
端部に、台部１０と同様、型成形によって凹凸形状が付与された第二の膨出パーツ４０を
、その膨出部４０ａを上向きに取り付けることによって構成されている。
【００３１】
上記第二の膨出パーツ４０の帯状シート材１３への取り付けも、第一の膨出パーツ１４
の場合と同様、第二の膨出パーツ４０の型成形時にその周縁に形成されるフランジ部４０
ｂを帯状シート材１３に接着剤もしくは両面テープ等を用いて接合することにより行われ
る。また、膨出パーツ４０および帯状シート材１３の材質によっては、両者を熱圧着して
もよい。
【００３２】
そして、上記第二の膨出パーツ４０の膨出部４０ａは、その周縁部を残して内側が凹状
に賦形され、全周にわたって枠状に突出している。この枠状部４１は、蓋部１１を閉じる
際に、上記第一の膨出パーツ１４の係合部Ｅ（具体的には段差部３２）と係合しうる被係
合部Ｅ′となるもので、この枠状部４１の左右の内側には、上記第一の膨出パーツ１４に
設けられた段差部３２の突起３３と係合しうる凹部４２が設けられている（図１参照）。
【００３３】
また、上記膨出部４０ａの枠状部４１において、第一の膨出パーツ１４に対峙する側の
立ち上がり面４３には、図２に示すように、左右２個所に、やや幅の広い凸部４４が設け
られており、その左右両側の縁部は、前記第一の膨出パーツ１４側に設けられた凹部３５
の開口縁部の形状に合わせて、やや凹んだ形状になっている。これら凸部４４は、蓋部１
１を開く際に、第一の膨出パーツ１４に対し、蓋部１１側の第二の膨出パーツ４０を直立
姿勢もしくは傾斜姿勢に係止するための被係合部Ｄ′となるもので、上記凸部４４を、第
一の膨出パーツ１４側に設けられた凹部３５内に差し込むことにより、蓋部１１を起立姿
勢に保持できるようになっている。
【００３４】
なお、上記膨出部４０ａは、前記第一の膨出パーツ１４の頂面が傾斜しているのに対応
して、蓋部１１を閉じた状態〔図３（ａ）を参照〕で手前になる側が厚く、奥側が薄い、
傾斜した形状になっている。これにより、蓋部１１を台部１０に重ねて閉じた状態におい
て、物品収納ケースがどの部分も同じ厚みの、本のような形状になる。
【００３５】
そして、上記台部１０と蓋部１１とを連結するヒンジ部１２は、上記帯状シート材１３
に取り付けられた第一の膨出パーツ１４と、第二の膨出パーツ４０との間に挟まれた所定
幅領域によって構成されている。そして、上記ヒンジ部１２と台部１０との境界線上に、
谷折りとなる折り目〔図２（ａ）において鎖線Ｐで示す〕が形成されており、上記ヒンジ
部１２と蓋部１１との境界線上に、同じく谷折りとなる折り目とそれに重なるミシン目〔
図２（ａ）において破線Ｑで示す〕が形成されている。また、上記ヒンジ部１２の内側に
も、上記折り目Ｐ、Ｑと平行に延びる補助折り目とそれに重なるミシン目〔図２（ａ）に
おいて破線Ｒで示す）が形成されている。なお、本発明において、折り目について、「谷
折り」、「山折り」という場合は、この物品収納ケースの内側から帯状シート材１３をみ
た状態を基準にしている。
【００３６】
したがって、上記ヒンジ部１２の折り目Ｐ、Ｑおよび補助折り目Ｒを利用して、つぎの
ようにして蓋部１１を開閉することができる。すなわち、まず、蓋部１１を台部１０に重
ねて閉じた状態を図３（ａ）に示す。そして、上記ヒンジ部１２の折り目Ｐ、Ｑを回転軸
として蓋部１１を上方に開く。この状態を図３（ｂ）に示す。
【００３７】
つぎに、上記ヒンジ部１２の補助折り目Ｒを回転軸として、蓋部１１側の折り目Ｑを谷
折りから山折りに反転させて、図４（ａ）に示すように、蓋部１１側の凸部４４を手前に
押し出すようにする。そして、その状態で蓋部１１を下方に下げることにより、図４（ｂ
）に示すように、上記蓋部１１側の凸部４４を、台部１０側の凹部３５内に差し込んで保
持させる。これによって、蓋部１１を、台部１０に対し、略垂直の起立姿勢で安定的に保
持することができる。
【００３８】
この物品収納ケースによれば、化粧料等の物品を保持する台部１０と蓋部１１とが、台
部１０と蓋部１１とをつなぐ一枚の帯状シート材１３を利用したヒンジ部１２を介して、
一続きに形成されているため、蓋部１１を開閉するだけで、簡単に、携帯に適した形態〔
図３（ａ）に示す形態〕と陳列に適した形態〔図１、図４（ｂ）に示す形態〕とを切り換
えることができ、取り扱いが簡単である。そして、上記蓋部１１の内側面に、予め物品の
広告や商品説明に関する表示を印刷しておくか、同様の表示が印刷されたカードを差し込
み保持するようにしておけば、上記陳列形態にする際、蓋部１１を開くだけで、陳列用の
別部材を取り付ける必要がないため、顧客に煩わしい印象を与えることがなく、販促効果
の高い、優れたものとなる。また、陳列用の別部材を製作する手間とコストが不要となり
、経済的である。
【００３９】
しかも、上記台部１０と蓋部１１とが、ともに真空成形等の型成形によって凹凸形状が
付与された膨出パーツ１４、４０を用いて構成されているため、全体が軽量で取り扱いやすい。そし
て、型成形による凹凸の賦形は、複雑な形状であっても短期間で美麗に仕上げることがで
きるため、収納する物品の形状や陳列の仕方に応じた、さまざまなバリエーションのケー
スを短い納期で提供することができる。このため、上記物品収納ケースは、化粧料の販促
の他、医薬品、食品、文房具等、各種商品の販促用として、広く用いることができる。
【００４０】
なお、帯状シート材１３は、上記の例では厚紙を用いたが、厚紙に限らず、プラスチッ
クシート、複合シート等、各種のものを用いることができる。そして、その厚みも、適宜
に設定されるが、例えば０．１〜２．０ｍｍ程度に設定することが好適である。すなわち
、帯状シート材１３の厚みが薄すぎると、ケースの強度が低下して保形性が悪くなるおそ
れがあり、逆に、厚みが厚すぎると、開閉動作がスムーズにいかず、ヒンジ部１２に無理
な力がかかって折り目（ミシン目を含む）Ｐ等が外れやすくなるおそれがある。
【００４１】
また、上記帯状シート材１３の表面（蓋部１１を閉じた状態で表になる面）に、文字や
模様を印刷する場合は、その表面が平滑で、印刷特性に優れているものが好適である。も
ちろん、デザイン的な点から、和紙テイストのもの、毛羽立ったもの、凹凸模様が付与さ
れたもの等を用いてもよい。
【００４２】
一方、第一、第二の膨出パーツ１４、４０に用いられる樹脂製シート材は、必ずしも透
明である必要はなく、型成形によって賦形できる樹脂材料であればどのようなものであっ
てもよい。例えば、ポリエチレンテレフタレート（ＰＥＴ）の他、ポリプロピレン（ＰＰ
）、ポリエチレン（ＰＥ）、ポリスチレン（ＰＳ）等の熱可塑性樹脂があげられる。なか
でも、再生ＰＥＴを用いることが、コストおよび省資源の点で好適である。また、透明な
樹脂製シート材の片面に、異なる材質のシートやフィルムを積層して強度を高くしたり、
色や柄のついたシートやフィルムを積層して、より印象的なデザインのケースとしたりす
ることができる。
【００４３】
そして、上記樹脂製シートの厚みも、上記の例に限らず、用いる材料や目的とする膨出
パーツ１４、４０の大きさ等によって適宜に設定されるが、通常、０．１〜０．８ｍｍの
範囲に設定することが好適である。すなわち、厚みが薄すぎると型成形が容易でなく、保
形性の点でも好ましくない。逆に、厚みが厚すぎると、物品収納ケース全体が重たいもの
となり、携帯に不便となり、また省資源の点からも好ましくない。
【００４４】
また、上記樹脂製シート材に凹凸形状を賦形するための成形方法としては、真空成形の
他、圧空成形やプレス成形等、樹脂製シート材を型成形によって凹凸形状を賦形する各種
の成形方法を用いることができる。
【００４５】
さらに、上記の例では、この物品収納ケースを陳列形態で用いたときに陳列面が見やす
くなるように、台部１０の膨出部１４ａの頂面を、手前に向かって下り傾斜にするととも
に、蓋部１１の膨出部４０ａの頂面も、それに合わせた傾斜にしたが、このように傾斜形
状にすることは必ずしも必要なく、台部１０も蓋部１１も、その頂面は水平であってもよ
い。
【００４６】
また、上記台部１０と蓋部１１に設けられる、両者の係合のための係合部Ｄ、Ｅと被係
合部Ｄ′、Ｅ′の形状は、上記の例に限らず、互いに係合保持できるものであれば、どの
ような形状になっていてもよい。
【００４７】
ただし、上記の例のように、蓋部１１を起立姿勢に保持するために、台部１０側に係合
部Ｄとして凹部３５を設け、蓋部側に被係合部Ｄ′として凸部４４を設けるとともに、ヒ
ンジ部１２に補助折り目Ｒを設けて、蓋部１１を開いて台部１０側に差し込むようにした
ものは、その作業がしやすく、しかも蓋部１１を非常に安定した形で保持することができ
るため、好適である。
【００４８】
そして、上記台部１０に対し蓋部１１を起立姿勢で安定的に保持するには、上記台部１
０の第一の膨出パーツ１４に対する蓋部１１の第二の膨出パーツ４０の角度〔図４（ｂ）
においてθで示す）が、９０°を超え１００°以下となるように設定することが、とりわ
け好適である。なお、場合によっては、両者の係合部Ｄ、被係合部Ｄ′に傾斜を設ける等
して、蓋部１１を、もっと後方に傾斜した状態で保持するようにしても差し支えない。た
だし、その場合は、蓋部１１を開いたとき、蓋部１１の重みでケース全体が後方にひっく
り返らないように、台部１０の底面に厚板を貼付する等の調整が必要となる。
【００４９】
また、上記台部１０に設けられる、物品収納用の凹凸形状と、これを蓋するための蓋部
１１の凹凸形状も、上記の例に限らず、目的とする物品の形状やケース全体のデザインや
機能に合わせて、適宜に設定することができる。
【産業上の利用可能性】
【００５０】
本発明は、物品を収納して携帯することができるだけでなく、これを開いた姿勢を固定
して、その収納された物品を開示して陳列等に供することのできる物品収納ケースに好適
に用いられる。
【符号の説明】
【００５１】
１０  台部
１１  蓋部
１２  ヒンジ部
１３  帯状シート材
１４  第一の膨出パーツ
２１、２３、２４  凹部
４０  第二の膨出パーツ
【図１】
2014200426.tif 000003
【図２】
2014200426.tif 000004
【図３】
2014200426.tif 000005
【図４】
2014200426.tif 000006
【図５】
2014200426.tif 000007
【図６】
2014200426.tif 000008